【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
蓄積されたデータを閲覧するデータブラウジング装置であって、
蓄積されたデータをグループ化するための、複数のグループのそれぞれに対応した図形の配置位置及び大きさを定義したデータ配置情報にしたがって、図形を画面に表示する図形表示手段と、
蓄積されたデータの選択範囲を示すための範囲枠を前記画面に表示する範囲表示手段と、
前記図形表示手段によって表示された図形の、前記範囲表示手段によって表示された範囲枠の内部に存在する部分の面積が、前記蓄積されたデータから閲覧の対象として選択されるべきデータ量に対応するように、前記範囲枠の大きさを決定する決定手段と、を備えることを特徴とするデータブラウジング装置。
【請求項２】
前記図形表示手段は、前記画面の表示範囲外に配置された図形を、ユーザのスクロール操作により前記画面に表示することが可能であることを特徴とする請求項１に記載のデータブラウジング装置。
【請求項３】
複数のグループ化の基準に対応した複数のグループ化レベルのそれぞれについて前記データ配置情報を保持する保持手段を更に備え、
前記図形表示手段は、ユーザ操作によって指定されたグループ化レベルのデータ配置情報に従って、グループに対応した図形を表示することを特徴とする請求項１または２に記載のデータブラウジング装置。
【請求項４】
前記蓄積されたデータは、各データに付与されている日時情報に基づいてグループ化されることを特徴とする請求項１乃至３のいずれか１項に記載のデータブラウジング装置。
【請求項５】
前記蓄積されたデータは、各データに付与されている場所情報に基づいてグループ化されることを特徴とする請求項１乃至３のいずれか１項に記載のデータブラウジング装置。
【請求項６】
ユーザ操作に応じて、前記選択されるべきデータ量を変更する変更手段を更に備え、
前記決定手段は、前記変更手段によるデータ量の変更に応じて、前記図形の前記範囲枠の内部に存在する部分の面積が、前記変更手段で変更されたデータ量に応じた大きさとなるように前記範囲枠の大きさを決定することを特徴とする請求項１に記載のデータブラウジング装置。
【請求項７】
前記範囲枠と重複する部分を有する図形に対応したグループから、重複する部分の面積に対応した量のデータを閲覧対象のデータとして選択する選択手段と、
前記選択手段で選択されたデータを閲覧する閲覧手段と、を更に備えることを特徴とする請求項１乃至６のいずれか１項に記載のデータブラウジング装置。
【請求項８】
前記選択手段は、前記図形と前記範囲枠とが重複する部分と該図形との位置関係に基づいて、該図形に対応するグループに属するデータから、閲覧対象のデータを選択することを特徴とする請求項７に記載のデータブラウジング装置。
【請求項９】
前記範囲表示手段が複数種類のデータ量に応じた複数の範囲枠を同時に表示している場合に、前記複数の範囲枠の一つをユーザ操作に応じて指定する指定手段を更に備え、
前記選択手段は、前記指定手段で指定された範囲枠と重複する部分を有する図形に対応したグループに属するデータから、重複する部分の面積に対応した量のデータを閲覧対象のデータとして選択することを特徴とする請求項７に記載のデータブラウジング装置。
【請求項１０】
ユーザ操作に応じて、前記範囲枠の大きさを変更する変更手段と、
前記変更手段で大きさが変更された前記範囲枠によって示される、前記選択されるべきデータ量のデータを抽出してリスト化するリスト手段と、
前記リスト手段で生成したリストに登録されたデータを閲覧する閲覧手段と、を更に備えることを特徴とする請求項１に記載のデータブラウジング装置。
【請求項１１】
前記選択されるべきデータ量は、選択されるべきデータの数であることを特徴とする請求項１乃至１０のいずれか１項に記載のデータブラウジング装置。
【請求項１２】
前記選択されるべきデータ量は、選択されるべき動画データの録画時間の合計であることを特徴とする請求項１乃至１０のいずれか１項に記載のデータブラウジング装置。
【請求項１３】
前記選択されるべきデータ量は、各動画に対してあらかじめ設定されている１つ以上の代表画像の数の合計であることを特徴とする請求項１乃至１０のいずれか１項に記載のデータブラウジング装置。
【請求項１４】
前記選択されるべきデータ量は、静止画データの数と、動画データを所定規則に従って換算した数との合計であることを特徴とする請求項１乃至１０のいずれか１項に記載のデータブラウジング装置。
【請求項１５】
前記選択されるべきデータ量は、静止画データの数と、各動画に対してあらかじめ設定されている１つ以上の代表画像の数との合計であることを特徴とする請求項１乃至１０のいずれか１項に記載のデータブラウジング装置。
【請求項１６】
前記選択されるべきデータ量は、ドキュメントデータのページ数の合計であることを特徴とする請求項１乃至１０のいずれか１項に記載のデータブラウジング装置。
【請求項１７】
蓄積されたデータを閲覧するデータブラウジング装置の制御方法であって、
図形表示手段が、蓄積されたデータをグループ化するための、複数のグループのそれぞれに対応した図形の配置位置及び大きさを定義したデータ配置情報にしたがって、図形を画面に表示する図形表示工程と、
範囲表示手段が、蓄積されたデータの選択範囲を示すための範囲枠を前記画面に表示する範囲表示工程と、
決定手段が、前記図形表示工程によって表示された図形の、前記範囲表示工程によって表示された範囲枠の内部に存在する部分の面積が、前記蓄積されたデータから閲覧の対象として選択されるべきデータ量に対応するように、前記範囲枠の大きさを決定する決定工程と、を有することを特徴とするデータブラウジング装置の制御方法。
【請求項１８】
請求項１７に記載のデータブラウジング装置の制御方法の各工程をコンピュータに実行させるためのプログラム。
【請求項１９】
請求項１７に記載のデータブラウジング装置の制御方法の各工程をコンピュータに実行させるためのプログラムを格納したコンピュータ読み取り可能な記憶媒体。
【手続補正２】
【補正対象書類名】明細書
【補正対象項目名】００１１
【補正方法】変更
【補正の内容】
【００１１】
上記の目的を達成するための本発明の一態様によるデータブラウジング装置は以下の構成を備える。即ち、
蓄積されたデータを閲覧するデータブラウジング装置であって、
蓄積されたデータをグループ化するための、複数のグループのそれぞれに対応した図形の配置位置及び大きさを定義したデータ配置情報にしたがって、図形を画面に表示する図形表示手段と、
蓄積されたデータの選択範囲を示すための範囲枠を前記画面に表示する範囲表示手段と、
前記図形表示手段によって表示された図形の、前記範囲表示手段によって表示された範囲枠の内部に存在する部分の面積が、前記蓄積されたデータから閲覧の対象として選択されるべきデータ量に対応するように、前記範囲枠の大きさを決定する決定手段と、を備える。
【手続補正３】
【補正対象書類名】明細書
【補正対象項目名】００１２
【補正方法】変更
【補正の内容】
【００１２】
また、上記の目的を達成するための本発明の一態様によるデータブラウジング装置の制御方法は、
蓄積されたデータを閲覧するデータブラウジング装置の制御方法であって、
図形表示手段が、蓄積されたデータをグループ化するための、複数のグループのそれぞれに対応した図形の配置位置及び大きさを定義したデータ配置情報にしたがって、図形を画面に表示する図形表示工程と、
範囲表示手段が、蓄積されたデータの選択範囲を示すための範囲枠を前記画面に表示する範囲表示工程と、
決定手段が、前記図形表示工程によって表示された図形の、前記範囲表示工程によって表示された範囲枠の内部に存在する部分の面積が、前記蓄積されたデータから閲覧の対象として選択されるべきデータ量に対応するように、前記範囲枠の大きさを決定する決定工程と、を有する。